(57)【要約】      （修正有）【課題】液体商品入りボトルを吊持して店内に陳列するのに適する陳列用具を提供する。【解決手段】ボトル陳列用具は、棒状の支持部材１６とボトルの吊持部材１８とを備える。支持部材は正方形の横断面形状を有する周面２４を構成する４つの側面２８と、長手方向に間隔をおいて設けられ周方向へ伸びまた周面に開放する複数の凹所２６とを備える。吊持部材はこれを支持部材に取り付けるための取り付け部３８を有する。取り付け部は、本体部分４２と、これに連なる一対の鉤形部分４４と、本体部分に連なる突起部分５２又は各鉤形部分に連なる突起部分５０とを備える。本体部分は支持部材の互いに隣接する上位及び下位の２つの凹所２６ａ，２６ｂ間において、支持部材の３つの側面を取り巻きかつ３つの側面に当接し、各鉤形部分は周面の残りの１つの側面に当接し、突起部分は凹所の下方の側壁３５に係止する。【選択図】図３
0003189191.tif 000002
【実用新案登録請求の範囲】
【請求項１】
上端部及び下端部を有する棒状の支持部材であって正方形の横断面形状を有する周面を構成する４つの側面と、長手方向に間隔をおいて設けられ周方向へ伸びまた前記周面に開放する、底壁及び該底壁に連なる上下一対の側壁を有する複数の凹所とを備える支持部材と、
ボトルを吊持する吊持部材であって、該吊持部材に設けられた取り付け部を介して前記支持部材に取り付けられた吊持部材とを含み、
前記取り付け部は本体部分と、該本体部分に連なる少なくとも一対の鉤形部分と、前記本体部分又は各鉤形部分に設けられた突起部分とを備え、
前記本体部分は、前記支持部材の周面の３つの側面を取り巻きかつ該３つの側面に当接する内面を有し、
各鉤形部分は前記周面の残りの１つの側面に対向しかつ当接する立面を有し、
前記突起部分は前記凹所の下方の側壁に係止する、ボトル陳列用具。
【請求項２】
各対の鉤形部分は、前記支持部材の凹所内を前記支持部材の横断方向へ移動可能である、請求項１に記載のボトル陳列用具。
【請求項３】
前記取り付け部は一対の鉤形部分を有し、
前記本体部分の内面は、記支持部材の互いに隣接する上位及び下位の２つの凹所間において、前記支持部材の周面の３つの側面に当接し、
前記一対の鉤形部分の立面は、前記上位及び下位の２つの凹所間において、前記周面の残りの１つの側面に当接し、
前記本体部分に設けられた突起部分は前記下位の凹所の下方の側壁に係止し、また、各鉤形部分に設けられた突起部分は前記上位の凹所の下方の側壁に係止する、請求項１に記載のボトル陳列用具。
【請求項４】
各鉤形部分は、前記支持部材の上位の凹所内を前記支持部材の横断方向へ移動可能である、請求項３に記載のボトル陳列用具。
【請求項５】
前記取り付け部は二対の鉤形部分を有し、
前記本体部分の内面は、前記支持部材の互いに隣接する上位、中位及び下位の３つの凹所間において前記支持部材の周面の３つの側面に当接し、
前記二対の鉤形部分の内の一対の鉤形部分の立面は、前記上位及び中位の２つの凹所間において前記周面の残りの１つの側面に当接し、また、他の一対の鉤形部分の立面は前記中位及び下位の２つの凹所間において前記周面の残りの１つの側面に当接し、
前記本体部分に設けられた突起部分は前記下方の凹所の下方の側壁に係止し、また、前記二対の鉤形部分に設けられた突起部分はそれぞれ前記上位及び中位の２つの凹所の下方の側壁に係止する、請求項１に記載のボトル陳列用具。
【請求項６】
前記二対の鉤形部分は、それぞれ、前記支持部材の上位及び中位の２つの凹所内を前記支持部材の横断方向へ移動可能である、請求項５に記載のボトル陳列用具。
【請求項７】
前記吊持部材はボトルのネックを差し込み可能であるスロットを備える、請求項１〜６のいずれか１項に記載のボトル陳列用具。
【請求項８】
前記支持部材は他の支持部材との接続のために、その上端部に設けられた、前記他の支持部材の下端部を受け入れ可能である凹所を有する、請求項１〜７のいずれか１項に記載のボトル陳列用具。
【請求項９】
前記支持部材は、その上端部に設けられた、前記支持部材を他の物に引掛けて吊すためのフックを有する、請求項１〜８のいずれか１項に記載のボトル陳列用具。
【請求項１０】
前記支持部材の上端部は商品表示板からなる、請求項１〜９のいずれか１項に記載のボトル陳列用具。
【考案の詳細な説明】
【技術分野】
【０００１】
本考案は、飲料、調味料、酒類等の液体商品を入れたボトル、特に飲料からなる液体商品入りのボトルを店内に陳列するために用いられる陳列用具に関する。
【背景技術】
【０００２】
従来、スーパーマーケットのような店舗において、商品を吊り下げた状態での陳列を行うための陳列用具が用いられている。
【０００３】
このような陳列用具として、帯状のシートと、複数の穴が設けられた箱状容器と、前記帯状シートにその長手方向に互いに間隔をおいて設けられた多数組のフック及び爪とを備えるものが提案されている。この陳列用具は、その帯状シートを介して、店舗内の任意の物に引掛けることにより店舗内に設置される。前記箱状容器はその穴に前記帯状シートの複数組のフック及び爪を通すことにより前記帯状シートに支持され、商品は各箱状容器内に置かれる。これにより、商品を吊り下げた状態での陳列がなされる（後記特許文献１参照）。
【先行技術文献】
【特許文献】
【０００４】
【特許文献１】特開２０１２−８０９２９号公報
【考案の概要】
【考案が解決しようとする課題】
【０００５】
ところで、商品を吊り下げて行う陳列の手法は、瓶やプラスチック容器からなるいわゆるボトルに詰められた商品である飲料（液体商品）についても適用することが考えられる。しかし、前記従来の陳列用具は、販売促進用の商品のような比較的軽量の商品を陳列対象としており、前記ボトル詰めの液体商品のような重量物の陳列には不向きである。
【０００６】
したがって、本考案の目的は、液体商品入りボトルを吊持して店内に陳列するのに適する陳列用具を提供することにある。
【課題を解決するための手段】
【０００７】
本考案に係るボトル陳列用具は、上端部及び下端部を有する棒状の支持部材と、該支持部材に取り付けられたボトルの吊持部材とを備える。前記支持部材は正方形の横断面形状を有する周面を構成する４つの側面と、前記支持部材の長手方向に間隔をおいて設けられ周方向へ伸びまた前記周面に開放する、底壁及び該底壁に連なる上下一対の側壁を有する複数の凹所とを備える。前記吊持部材はこれを前記支持部材に取り付けるための取り付け部を有する。この取り付け部は本体部分と、該本体部分に連なる少なくとも一対の鉤形部分と、前記本体又は各鉤形部分に設けられた突起部分とを備える。前記本体部分は、前記支持部材の周面の３つの側面を取り巻きかつ該３つの側面に当接する内面を有し、各鉤形部分は前記周面の残りの１つの側面に対向しかつ当接する立面を有する。前記突起部分は前記凹所の下方の側壁に係止する。
【０００８】
本考案に係るボトル陳列用具は、これを構成する前記支持部材の上端部において、店舗内に設置された任意の物、例えばワイヤネットに吊り下げた状態で使用に供される。飲料のような液体商品入りのボトルは、吊り下げ状態におかれた前記ボトル陳列用具の吊持部材に吊り下げることができ、これにより、ボトルを店舗内に陳列することができる。店舗内の設置物への前記ボトル陳列用具の吊り下げのために、好ましくは、前記支持部材の上端部にフックが設けられる。また、前記吊持部材へのボトルの吊り下げのために、例えば、前記吊持部材が前記ボトルのネックを差し込み可能であるスロットを備える。さらに、陳列されたボトル内の液体商品の説明、宣伝等のために、好ましくは、前記支持部材の上端部が商品表示板で構成される。
【０００９】
本考案によれば、前記吊持部材における取り付け部の本体部分及び一対の鉤形部分が前記支持部材の４つの側面に接していることから、前記吊持部材は前記支持部材との間に実質的に隙間が存しない状態で前記支持部材に支持される。これにより、前記吊持部材がこれに傾きが生じないように支持される。加えて、前記吊持部材が接する前記支持部材の周面が正方形の横断面形状を有することから、前記吊持部材（及びこれに吊持されたボトル）は前記支持部材の周りに回転することが防止される。さらに、前記突起部分が前記凹所を規定する下方の側壁に係止することから、前記吊持部材は、前記突起部分をストッパとして、前記支持部材の下端部へ向けて移動することが阻止され、これにより、前記支持部材の上下両端部間の所定の高さ位置に支持される。その結果、比較的重量のある液体商品入りボトルを安定した状態で吊持し、陳列することができる。
【００１０】
また、前記吊持部材が係止される前記下方の側壁を規定する前記凹所が前記支持部材の周面に複数設けられていることから、一つの吊持部材を前記支持部材の上下両端部間の任意の高さ位置に配置し、あるいは、また、複数の吊持部材を複数の高さ位置に多段に配置することができる。さらに、前記支持部材の周面が正方形の横断面形状を有することから、前記吊持部材の取り付け部が取り巻く前記支持部材の３つの側面を、前記４つの側面の内から任意に選択することができ、これにより、前記吊持部材の配置方向を選択し、あるいは変更することができる。
【００１１】
また、前記取り付け部の一対の鉤形部分が前記支持部材の凹所を前記支持部材の横断方向へ移動可能とすることにより、前記支持部材に対する前記吊持部材の取り付けを解除可能とすることができる。
【００１２】
前記吊持部材の取り付け部は、これが一対の鉤形部分を備える場合には、例えば、前記本体部分の内面が記支持部材の互いに隣接する上位及び下位の２つの凹所間において前記支持部材の周面の３つの側面に当接し、前記一対の鉤形部分の立面が前記上位及び下位の２つの凹所間において前記周面の残りの１つの側面に当接し、前記本体部分に設けられた突起部分が前記下位の凹所の下方の側壁に係止し、また、各鉤形部分に設けられた突起部分が前記上位の凹所の下方の側壁に係止するものとすることができる。また、各鉤形部分については、前記支持部材の上位の凹所内を前記支持部材の横断方向へ移動可能であるものとすることができる。
【００１３】
また、前記吊持部材の取り付け部が複数対の鉤形部分、例えば二対の鉤形部分を備える場合には、例えば、前記本体部分の内面が前記支持部材の互いに隣接する上位、中位及び下位の３つの凹所間において前記支持部材の周面の３つの側面に当接し、前記二対の鉤形部分の内の一対の鉤形部分の立面が前記上位及び中位の２つの凹所間において前記周面の残りの１つの側面に当接し、また、他の一対の鉤形部分の立面が前記中位及び下位の２つの凹所間において前記周面の残りの１つの側面に当接し、前記本体部分に設けられた突起部分が前記下方の凹所の下方の側壁に係止し、また、前記二対の鉤形部分に設けられた突起部分はそれぞれ前記上位及び中位の２つの凹所の下方の側壁に係止するものとすることができる。また、前記二対の鉤形部分については、それぞれ、前記支持部材の上位及び中位の２つの凹所内を前記支持部材の横断方向へ移動可能であるものとすることができる。
【００１４】
複数対の鉤形部分を有する前記取り付け部の例によれば、前記本体部分及び前記鉤形部分の前記支持部材に対する当接面積が増大することから、前記吊持部材及びこれに吊持されるボトルをより安定的に吊持することができる。
【００１５】
さらに、前記支持部材は他の支持部材との接続のために、その上端部に、前記他の支持部材の他端部を堅固に受け入れ可能である凹所を有するものとすることができ、前記接続により実質的に前記支持部材の長さを増大し、その長手方向における多数の位置（高さ位置）のそれぞれに前記吊持部材を配置し、より多くのボトルを吊り下げて陳列することができる。
【図面の簡単な説明】
【００１６】
【図１】ワイヤネットに吊り下げられた２つのボトル陳列用具の斜視図である。
【図２】ボトル陳列用具の斜視図である。
【図３】ボトル陳列用具を構成する支持部材及び取り付け前の吊持部材を部分的に示す斜視図である。
【図４】支持部材への取り付け前にある吊持部材の縦断面図である。
【図５】支持部材への取り付け途上にある吊持部材の縦断面図である。
【図６】支持部材への取り付けの完了後における吊持部材の縦断面図である。
【図７】図４に示す線７−７に沿って得られた横断面図である。
【図８】図４に示す線８−８に沿って得られた横断面図である。
【図９】（ａ）、（ｂ）及び（ｃ）は、それぞれ、支持部材及びその横断方向に関して異なる方向に取り付けられた吊持部材の斜視図である。
【図１０】互いに接続された一のボトル陳列用具及び他のボトル陳列用具の斜視図である。
【図１１】接続前における一のボトル陳列用具の上端部及び他のボトル陳列用具の下端部の斜視図である。
【考案を実施するための形態】
【００１７】
図１を参照すると、２つのボトル陳列用具がそれぞれ全体に符号１０で示されている。両ボトル陳列用具１０は、スーパーマーケットのような店舗での液体商品入りのボトル１４、すなわち飲料のような液体商品が詰められた瓶やペットボトルからなるボトル１４の陳列のために、前記店舗内に設置されたワイヤネット１２に吊り下げた状態で配置されている。
【００１８】
ボトル陳列用具１０は棒状の支持部材１６と、これに解除可能に取り付けられ、片持ち支持された２つの吊持部材１８とを備える。吊持部材１８は、支持部材１６に取り外すことができないように取り付け、固定することもできる。
【００１９】
図示の支持部材１６及び吊持部材１８は、それぞれ、プラスチックの成形品からなる。これに代えて、アルミニウムのような金属材料からなるものとすることができる。棒状を呈する支持部材１６は重量軽減のため中空とされている。支持部材１６に取り付けられる、該支持部材と共にボトル陳列用具１０を構成する吊持部材１８の数量は図１に示す２つより少ない１つ、あるいはこれより多い３つ以上とすることができる。また、図示の例では吊持部材１８に２つのボトル１４が吊持されている。
【００２０】
図２に示すように、ボトル陳列用具１０を構成する支持部材１６は上端部２０及び下端部２２を有する。上端部２０については、これを、下端部２２と同様の棒状の端部とし、あるいは、図示の例のように、支持部材１６の幅寸法より大きい幅寸法を有する商品表示板からなるものとすることができる。前記商品表示板は、ボトル１４内の液体商品の商品名、成分等が記載されたカード（図示せず）を保持することができる。
【００２１】
図３に示すように、棒状の支持部材１６は正方形の横断面形状を有する周面２４と、支持部材１６の長手方向に互いに間隔をおいて設けられた複数（好ましくは３以上）の凹所２６とを備える。ここにおいて、凹所２６と凹所２６との間の間隔は同一である。また、各凹所２６の幅寸法、すなわち、各凹所２６を規定する後記一対の側壁３４、３５間の間隔は同一である。
【００２２】
支持部材１６の周面２４はこれを構成する、互いに直交する４つの側面２８からなる。なお、図示の例にあっては、中空の支持部材１６は、その４つの側面２８の内の１つの側面２８において開放している。より詳細には、前記１つの側面２８は、支持部材１６の横断方向における中央において一部分を欠き、該中央の一部分の両側に位置する２つの側面部分３０（図３参照）によって構成されている。これらの２つの側面部分３０は、それぞれ、これらの側面部分３０により構成された前記１つの側面２８に隣接する他の２つの側面２８に連なっている。
【００２３】
支持部材１６に設けられた凹所２６は支持部材１６の周方向へ伸び、また、周面２４に開放している。したがって、周面２４（４つの側面２８）は、支持部材１６の長手方向に関して、複数の凹所２６により複数の周面部分（側面部分）に分断されている。凹所２６は、これを規定する底壁３２と、支持部材１６の上端部２０の側及び下端部２２の側にそれぞれ位置する上下一対の側壁３４、３５とを有する。底壁３２もまた正方形の横断面形状を有し、底壁３２は周面２４と平行である。しかし、底壁３２の横断面形状は、図示の例に代えて、例えば円形をなすように設定することができる。
【００２４】
再び図３を参照すると、吊持部材１８は、ボトル１４（図１）が吊り下げられる吊り下げ部３６と、支持部材１６に対する取り付け部３８とを備える。
【００２５】
図示の吊り下げ部３６は全体に細長くまた深さの浅い椀状の外観を有する。吊り下げ部３６には、その一端から他端に向けて伸び前記一端に開放するスロット４０が設けられている。スロット４０にはその開放一端からボトル１４のネックを差し込むことができ、スロット４０へのこの差し込みにより、ボトル１４を吊り下げ部３６において吊持することができる。スロット４０は、例えば２つのボトル１４のネックを通すことができるようにその長さ寸法が設定される。
【００２６】
他方、吊持部材３６の取り付け部３８は、吊り下げ部３６に連なる本体部分４２と、該本体部分に連なる少なくとも一対の鉤形部分４４とを備える。少なくとも一対の鉤形部分４４については、二対の鉤形部分４４の例（図示の例）と一対の鉤形部分４４の例（図示しない例）とを挙げて以下に説明する。
【００２７】
取り付け部３８の本体部分４２は、支持部材１６の周面２４を構成する４つの側面２８の内の３つの側面２８を取り巻きかつ該３つの側面に当接する内面４６を有する。内面４６は、二対の鉤形部分４４の例においては、支持部材１６の長手方向において互いに隣接する上位、中位及び下位の３つの位置にある上中下３つの凹所２６（理解を容易にするためにこれらの３つの凹所に符号２６ａ、２６ｂ、２６ｃを付す。）間において、支持部材１６の３つの側面２８（より詳細には、３つの凹所２６ａ、２６ｂ、２６ｃにより分断された互いに隣接する上下２つの周面部分２４ａ、２４ｂをそれぞれ構成する３つの側面部分）を取り巻きかつこれらの３つの側面２８に当接している。本体部分４２の内面４６は、したがって、横断面で見てコの字形に連なる、互いに直交する３つの立面からなる。なお、図示の本体部分４２にあってはその外面がコの字形の横断面形状を有するところ、前記外面の形状については任意に設定することができる。
【００２８】
本体部分４２に連なる二対の鉤形部分４４は、支持部材１６の長手方向（上下方向）に関して、互いに間隔をおいて配置されている。各対における２つの鉤形部分４４は、それぞれ、本体部分４２の前記コの字形における２つの先端にあって支持部材１６の横断方向に関して互いに相対している（図４、図７及び図８参照）。
【００２９】
吊持部材１８が支持部材１６に取り付けられた状態で見て、支持部材１６の長手方向に関して上位及び下位にある二対の鉤形部分４４の内、前記上位にある一対の鉤形部分４４は、それぞれ、支持部材１６の前記上位及び中位の２つの凹所２６ａ、２６ｂ間において支持部材１６の４つの側面２８の内の残りの１つの側面２８（周面部分２４ａにおける両側面部分３０）に相対し、これに当接する一対の立面４８を有する。各鉤形部分４４には、取り付け部３８の構成部分である突起部分５０が設けられている。突起部分５０は吊り下げ部３６に向けて突出し、また、上位の凹所２６ａを規定する下方の側壁３５に係止している。
【００３０】
同様に、下位にある他の一対の鉤形部分４４も、また、それぞれ、一対の立面４８を有する。これらの立面４８は、前記中位及び下位の２つの凹所２６ｂ、２６ｃ間において、周面２４の残りの１つの側面２８（周面部分２４ｂにおける両側面部分３０）に相対し、これに当接している。同様に、各鉤形部分４４に、取り付け部３８を構成する突起部分５０が設けられており、突起部分５０は吊り下げ部３６に向けて突出している。各突起部分５０は中位の凹所２６ｂを規定する下方の側壁３５に係止している。
【００３１】
また、図示の取り付け部３８は、各鉤形部分４４に設けられた突起部分５０に加えて、さらに、本体部分４２に設けられた板状の突起部分５２を有する。突起部分５２は本体部分４２の下端から支持部材１６に向けて突出している（図３、図６、図７及び図８参照）。この突起部分５２は下位の凹所２６ｃを規定する下方の側壁３５に係止している。なお、前記突起部分は、各鉤形部分及び前記本体部分の何れか一方にのみ設けることができる。したがって、取り付け部３８は、各鉤形部分４４に設けられた突起部分５０及び本体部分３８に設けられた突起部分５２の双方を有する場合（図示の場合）、あるいは、各鉤形部分４４に設けられた突起部分５０のみを有する場合、あるいは、本体部分４２に設けられた突起部分５２のみを有する場合がある。
【００３２】
前記したように、取り付け部３８の本体部分４２の内面４６を構成する３つの直交立面と各対の鉤形部分４４における立面４８とは、それぞれ、支持部材１６の４つの側面の内の３つの側面２８と残りの１つの側面２８（両側面部分３０）とに当接している。したがって、本体部分４２の内面４６及び各対の鉤形部分４４の立面４８は、共同して、支持部材１６の周面２４の横断面形状である前記正方形とほぼ同じ正方形の横断面形状を規定する。
【００３３】
吊持部材１８は、支持部材１６の４つの側面２８に対する本体部分４２の内面４６及び二対の鉤形部分４４の立面４８の当接により、支持部材１６との間に実質的に隙間が存しない状態で支持部材１６に支持される。このことは、吊持部材１８の姿勢に関してこれに傾きが生じないようにする点で有利である。また、支持部材１６及び吊持部材１８相互の当接面の横断面形状が正方形であることは、吊持部材１８（及びこれに吊持されたボトル１４）の姿勢に関してこれが支持部材１６の周りに回転しないようにする点で有利である。吊持部材１８は、その取り付け部３８の各突起部分５０、５２により、支持部材１６の長手方向に関する所定の位置（高さ位置）に止められる。これらのことから、比較的重量のある液体商品入りのボトル１４を安定した状態で吊持及び陳列することができる。
【００３４】
取り付け部３８が一対の鉤形部分４４のみを有する例について説明する。この例として、前記した上下二対の鉤形部分の内、上位に位置する一対の鉤形部分４４のみを有するものを挙げることができる。この例では、本体部分４２の寸法がより短いもの、すなわち支持部材１６の前記上位及び中位の２つの凹所２６ｂ、２６ｃ間においてのみ周面部分２４ｂを取り巻く内面４６を有するものとすることができる。
【００３５】
ボトル陳列用具１０の組み立て及びその分解を可能とするため、吊持部材１８の鉤形部分４４が任意の凹所２６を、支持部材１６の横断方向に移動可能とすることができる。図示の例では、二対の鉤形部分４４が、それぞれ、支持部材１６の上位及び中位の凹所２６を、支持部材１６の互いに相対する２つの側面２８の側において、支持部材１６の横断方向に移動可能とされている。このために、各鉤形部分４４の長さ寸法が、支持部材１６の長手方向に関して、凹所２６の両側壁３４、３５間の幅寸法より小さいものに設定されている。ボトル陳列用具１０の組み立て及びその分解を可能とすることにより、ボトル陳列用具１０を、互いに分離された支持部材１６及び吊持部材１８の形態で保管することができる。
【００３６】
図４〜図６にボトル陳列用具１０の組み立ての手順が示されている。なお、ボトル陳列用具１０の分解は、前記組み立てと逆の手順に従って行う。
【００３７】
まず、支持部材１６の４つの側面２８の内のいずれか１つの側面２８に対して吊持部材１８の取り付け部３８の二対の鉤形部分４４を向ける（図４）。次に、これらの二対の鉤形部分４４をそれぞれ上位及び中位の２つの凹所２６ａ、２６ｂに差し込み、これらの２つの凹所２６ａ、２６ｂ内を支持部材１６の横断方向へ移動させる。図示の例にあっては、このとき、各鉤形部分４４が各突起部分５０において各凹所２６ａ、２６ｂを規定する底壁３２上を滑動する。その結果、本体部分４２の内面４６が、支持部材１６の上位、中位及び下位の凹所２６ａ、２６ｂ、２６ｃ間において、上位及び下位の周面部分２４ａ、２４ｂをそれぞれ規定する３つの側面２８に当接する（図５）。次いで、二対の鉤形部分４４における突起部分５０がそれぞれ中位及び下位の凹所２６ｂ、２６ｃの下方の側壁３５に突き当たるまで、吊持部材１８を下降させる。下降の間、本体部分４２の内面４６が支持部材１６の３つの側面２８上を摺動し、また、各対の鉤形部分４４の立面４８が両側面部分３０上を摺動する。その結果、本体部分４２の内面４６が支持部材１６の３つの側面２８に当接しかつ各対の鉤形部分４４の立面４８が両側面部分３０に当接した状態で吊持部材１８が支持部材１６に取り付けられ、これに片持ち支持される。
【００３８】
吊持部材１８は、その取り付け部３８の鉤形部分４４が挿入、移動される支持部材１６の凹所２６を選択することにより、支持部材１６にその長手方向における任意の位置（高さ位置）に取り付けることができる。また、支持部材１６の長さ寸法及び凹所２６の数量は、支持部材１６に対する吊持部材１８の取り付け数量を考慮して定めることができる。また、吊持部材１８は、これが支持部材１６の４つの側面２８の内のいずれか１つの側面２８に対向するように、支持部材１６に取り付けることができる。これを図９の（ａ）、（ｂ）及び（ｃ）に示す。
【００３９】
図１０及び図１１に示すように、１つの支持部材１６に他の支持部材１６をこれらの軸線方向に継ぎ足して又は接続して、より長い１つの支持部材５４とすることができる。
【００４０】
支持部材１６には、その下端部２２及びその上端部２０に、前記継ぎ足し又は接続のための接続構造が設けられている。図示の接続構造は、下端部２２に設けられた板状の凸部５６と該凸部を受け入れ可能である凹部５８（さらに図２参照）とからなる。図示の例では、凹部５８は、支持部材１６の上端部２０を構成する前記商品表示板の頂部及び側部に開放している。
【００４１】
前記接続構造にあっては、凸部５６を凹部５８に対して支持部材１６の横断方向へ移動させ、挿入する。挿入された凸部５６は、凹部５８から容易に抜け出ないように、凹部５８に比較的堅固に係合する。
【００４２】
図２及び図３に示すように、ボトル陳列用具１０のワイヤネット１２への吊り下げ又は取り付けを可能とするため、支持部材１６の上端部２０に、ワイヤネット１２への引掛けが可能である一対のフック６０が設けられている。
【００４３】
フック６０に加えて、さらに、支持部材１６にこれをその横断方向に貫通する複数の孔６１（図１１参照）を設けることができる。孔６１は、これに、例えば店舗に設けられたブラケット（図示せず）を通すことができ、これにより、前記ブラケットにボトル陳列用具１０を吊り下げることができる。図示の例にあっては、複数の孔６１は、支持部材１６における複数の凹所２６を一つおきに貫通している。
【００４４】
また、図示の吊持部材１８は、これを単独でワイヤネット１２に吊持することが可能である。この吊持ために、取り付け部３８の上端部に、一対のフック６２（図３参照）が設けられている。
【符号の説明】
【００４５】
１０  ボトル陳列用具
１４  ボトル
１６  支持部材
１８  吊持部材
２４  支持部材の周面
２６  凹所
２８  側面
３０  側面部分
３８  吊持部材の取り付け部
４２  本体部分
４４  鉤形部分
４６  本体部分の内面
４８  鉤形部分の立面
５０  鉤形部分に設けられた突起部分
５２  本体部分に設けられた突起部分
【図１】
0003189191.tif 000003
【図２】
0003189191.tif 000004
【図３】
0003189191.tif 000005
【図４】
0003189191.tif 000006
【図５】
0003189191.tif 000007
【図６】
0003189191.tif 000008
【図７】
0003189191.tif 000009
【図８】
0003189191.tif 000010
【図９】
0003189191.tif 000011
【図１０】
0003189191.tif 000012
【図１１】
0003189191.tif 000013